(57)【特許請求の範囲】
【請求項１】
浴室壁面にシャワーホース収納部を設け、前記シャワーホース収納部の前面には縦長の隆起状の突出部が設けられており、該突出部は上面と前面を有し、上面から前面に亘り長孔が設けられ、前記長孔の上面位置にシャワーフック部が形成され、前記長孔の前面位置からシャワーホースを奥側へ押し込んで収納できるシャワーホース収納構造において、前記長孔の前面位置の幅を狭めるか、または、塞ぐことができる手段を備えたことを特徴とするシャワーホース収納構造。
【請求項２】
前記突出部に、通常はシャワーホースの径より狭い幅に前記長孔を狭め、シャワーホースの通過時のみ開くことのできる凸部を設けたことを特徴とする請求項１に記載のシャワーホース収納構造。
【請求項３】
前記シャワーフック部に嵌合して前記長孔の幅を塞ぐことのできるアダプター部材を、前記シャワーヘッドの根元に着脱可能にシャワーホースに外装させたことを特徴とする請求項１に記載のシャワーホース収納構造。
【発明の詳細な説明】
【技術分野】
【０００１】
本発明は、シャワーホースを収納する収納構造に関するものである。
【背景技術】
【０００２】
従来、特許文献１に開示されているように、垂直方向にシャワーホースを出し入れできて滑らせながらシャワーホースを収納ケース内に収納できるシャワーホースの収納構造が存在するが、このような構造では、シャワーホースを収納ケース内に入れる場合に水滴が付着していると入れ難いという問題点があった。
また、発明者らは、特願２００４−２７２６７および特願２００５−６１４７２として、シャワーヘッドを掛止可能に上面が開口されたシャワーフックの前面から下方に向かってスリット状の開口部が形成され、この開口部からシャワーホースを奥側へ押し込んで収納できるシャワーホースの収納構造を提案している。
【特許文献１】特開平９−１７７１５１号公報
【発明の開示】
【発明が解決しようとする課題】
【０００３】
上記特願２００４−２７２６７および特願２００５−６１４７２で出願したように、前面にスリット状の開口部が形成されている場合、シャワーホースを開口部から奥側へ押し込む際に、シャワーホースが暴れて開口部からはみ出してしまうことがあり、手を添えないとシャワーホースを収納させづらいという問題点があった。
【課題を解決するための手段】
【０００４】
本発明は上記従来の問題点に鑑み案出したものであって、手を添えなくても良好にシャワーホースを収納させることのできるシャワーホース収納構造を提供するものであり、その請求項１は、浴室壁面にシャワーホース収納部を設け、前記シャワーホース収納部の前面には縦長の隆起状の突出部が設けられており、該突出部は上面と前面を有し、上面から前面に亘り長孔が設けられ、前記長孔の上面位置にシャワーフック部が形成され、前記長孔の前面位置からシャワーホースを奥側へ押し込んで収納できるシャワーホース収納構造において、前記長孔の前面位置の幅を狭めるか、または、塞ぐことができる手段を備えたことである。
【０００５】
また請求項２は、前記突出部に、通常はシャワーホースの径より狭い幅に前記長孔を狭め、シャワーホースの通過時のみ開くことのできる凸部を設けたことである。
【０００６】
また請求項３は、前記シャワーフック部に嵌合して前記長孔の幅を塞ぐことのできるアダプター部材を、前記シャワーヘッドの根元に着脱可能にシャワーホースに外装させたことである。
【発明の効果】
【０００７】
本発明は、浴室壁面にシャワーホース収納部を設け、前記シャワーホース収納部の前面には縦長の隆起状の突出部が設けられており、該突出部は上面と前面を有し、上面から前面に亘り長孔が設けられ、前記長孔の上面位置にシャワーフック部が形成され、前記長孔の前面位置からシャワーホースを奥側へ押し込んで収納できるシャワーホース収納構造において、前記長孔の前面位置の幅を狭めるか、または、塞ぐことができる手段を備えたことにより、長孔の前面位置からシャワーホースを奥側へ押し込んで収納する際に、長孔の前面位置の幅が狭められているか、または長孔の前面位置が閉じられるため、シャワーホースが長孔からはみ出ることなく良好にガイドされて奥側へ押し込まれることとなり、シャワーホースの収納がし易いものとなる。
【０００８】
また、前記突出部に、通常はシャワーホースの径より狭い幅に前記長孔を狭め、シャワーホースの通過時のみ開くことのできる凸部を設けたことにより、前側よりシャワーホースを長孔内に嵌め込む際には凸部が開き、良好にシャワーホースが長孔内に入り、この状態で凸部が閉じて、シャワーホースを奥側へ押し込む際に凸部がガイドとなり、シャワーホースが長孔からはみ出すことなく良好にガイドされて収納されることとなり、シャワーホースの収納がし易いものとなる。
【０００９】
また、前記シャワーフック部に嵌合して前記長孔の幅を塞ぐことのできるアダプター部材を、前記シャワーヘッドの根元に着脱可能にシャワーホースに外装させたことにより、通常はアダプター部材をシャワーヘッドの根元に取り付けておき、シャワーホースを収納させる際に、アダプター部材をシャワーフック部に嵌合させると、長孔が閉じられるため、シャワーホースが長孔からはみ出ることなく良好にアダプター部材でガイドされて奥側へ押し込まれることとなり、シャワーホースの収納がし易いものとなる。
【実施例】
【００１０】
以下、本発明の実施例を図面に基づいて説明する。
図１は、浴室内の壁面に設置された浴室用横長鏡１の正面概略構成図であり、浴室用横長鏡１は、左鏡１ａと右鏡１ｂが前面に設けられて、この左鏡１ａと右鏡１ｂ間には、シャワーヘッド６を掛止可能にシャワーフック２が設けられ、このシャワーフック２の前面から下方側に向かってスリット状の開口部（長孔）３が形成されており、この開口部（長孔）３からシャワーホース７を押し込んで、左鏡１ａの奥側に設けられているホースガイド４に沿わせてシャワーホース７を横方向に押し込むことができ、シャワーホース７は内部に設けられているホースストッパ５で無理な曲がりが生ずることなく良好に収納されるように構成されている。
【００１１】
なお、図２は、シャワーヘッド６をシャワーフック２に掛止してシャワーホース７全体を左鏡１ａの裏奥側へ収納させた状態図であり、また図３は、シャワーホース７の一部を開口部（長孔）３から前側へ垂らして、シャワーヘッド６をシャワーフック２に掛止した状態図である。
この図３のように、シャワーホース７の一部を外側へ出しておけば、洗髪等を行う際に、逐一シャワーホース７を引き出す必要がなく、直ちにシャワーヘッド６が使用可能となる。このようにシャワーホース７の一部を外側へ出しておくために開口部（長孔）３がシャワーフック２から連続して形成されているのである。
しかし、このような開口部（長孔）３が形成されていると、シャワーホース７を収納する場合には、シャワーホース７を開口部（長孔）３から奥側へ押し込む際に、シャワーホース７が暴れて開口部（長孔）３からはみ出してしまうことがあり、シャワーフック２の部分に手を添えてガイドしないと良好にシャワーホース７を奥側へ収納できない事態が生ずるため、本発明の第１実施例では、図４の斜視図で、また図５の正面図で示すように、シャワーフック２の前面側の開口部（長孔）３の上部部位に、開口部（長孔）３のスリット幅を狭めることのできる凸部８ａ，８ｂを対向状に一体形成させたものである。
【００１２】
なお、シャワーホース７のシャワーヘッド６の根元６ａに接続される部分に細管部７ａを形成させておき、その下方のシャワーホース７の一部にも細管部７ｂを形成させて構成しておく。
なお、凸部８ａと８ｂ間の開口隙間幅ｄは、細管部７ａ，７ｂの外径よりも大きく、シャワーホース７の外径よりも小さい寸法に設定されたものである。
【００１３】
このような構成において、例えば図６に示すように、下側の細管部７ｂを凸部８ａ，８ｂ間の隙間を通して前方側から開口部（長孔）３内に入れ込むことができ、この状態でシャワーホース７は開口部（長孔）３内に入り、図６の状態から図７に示すように、シャワーホース７を下方側へ押し込むと、凸部８ａ，８ｂにガイドされて良好にシャワーホース７が下方側に移動されてゆき、この時にシャワーホース７は開口部（長孔）３から前側にはみ出すことがなく、良好に凸部８ａ，８ｂにガイドされて下方側へ押し込まれてゆくこととなる。
【００１４】
また、別の方法として図８に示すように、シャワーホース７を開口部（長孔）３から前方側へはみ出させた状態で、上方の細管部７ａを凸部８ａ，８ｂ間の隙間を通してシャワーフック２内に嵌め込み、この状態で図９に示すように、一旦、シャワーヘッド６とともにシャワーホース７を引き上げて一直線にした後、真直ぐにシャワーホース７を下方側へ押し込むことにより、シャワーホース７は凸部８ａ，８ｂにガイドされて良好に下方側へ押し込まれることとなり、シャワーホース７が開口部（長孔）３から外れることがなく、スムーズに収納させることができるものとなる。
【００１５】
次に、図１０〜図１２は変更例を示すものである。
図１０に示すように、シャワーフック２の上面開口２ａの前部側に予め凸部孔２ｂ，２ｂを開口形成させておき、この左右の凸部孔２ｂ，２ｂ内には、移動凸部９ａ，９ｂが嵌め込まれ、この左右の移動凸部９ａ，９ｂは、例えばバネ鋼や弾性樹脂材で形成された弾性部材１０で連結されて、この弾性部材１０はシャワーフック２内に内装されており、この弾性部材１０を介して左右の移動凸部９ａ，９ｂは、図１１から図１２の状態に横方向に出没移動できるように構成されている。
【００１６】
図１１の通常の状態では、左右の移動凸部９ａ，９ｂは閉じられて、移動凸部９ａ，９ｂ間の開口隙間幅ｄはシャワーホース７の外径よりも狭い寸法となっており、シャワーホース７を前側よりシャワーフック２の内部に嵌め込む際、即ちシャワーホース７が通過する時には、図１２に示すように、左右の移動凸部９ａ，９ｂは外側へ広げられて開かれ、良好にシャワーホース７をシャワーフック２および開口部（長孔）３内に入れ込むことができるように構成されている。
【００１７】
このように、シャワーフック２内にシャワーホース７を前側より押し込むと、左右の移動凸部９ａ，９ｂが図１２のように開いて良好にシャワーホース７を通過させて、シャワーホースがシャワーフック２の内部に嵌め込まれ、この状態でシャワーホース７を下方側へ押し込む時には、図１１のように左右の移動凸部９ａ，９ｂは開口部（長孔）３のスリット幅を狭めた状態となっており、良好にシャワーホース７をガイドすることができて、左右の移動凸部９ａ，９ｂにガイドされてスムーズにシャワーホース７は下方側へ押し込まれて収納されることとなり、シャワーホース７の収納がし易いものとなり、片手で容易にシャワーホース７を収納できるものとなる。
【００１８】
次に、図１３で示すものは別例であり、図１３では、開口部（長孔）３の側面に縦方向にスライドガイド溝３ａが形成されて、このスライドガイド溝３ａに沿って上下動可能なスライド部材１１が開口部（長孔）３の幅方向に横設されており、このスライド部材１１で開口部（長孔）３の前面を閉ざし、スリット幅を塞ぐことができるものであり、スライド部材１１には、前方側へ突出して手で摘むことのできる摘み１１ａが形成されている。
【００１９】
スライド部材１１は、手を離した状態では開口部（長孔）３の下方側に下がり、この状態では開口部（長孔）３の前面は開放されているため、図３のように、良好にシャワーホース７を前側へ垂らして使用することができるものであり、シャワーホース７を収納する際に、スライド部材１１を手で上方へ上げて開口部（長孔）３の前面上部をスライド部材１１で閉ざすと、シャワーホース７を下方側へ押し込む際に、シャワーホース７はスライド部材１１にガイドされて良好に下方側へ移動することができ、シャワーホース７が開口部（長孔）３の前面にはみ出すことがなく、スムーズにシャワーホース７を収納できるものとなる。
【００２０】
なお、図１４のように、スライド部材１１の下部にバネ１２を設けておき、このバネ１２の付勢力により常にはスライド部材１１が開口部（長孔）３の前面上部位置にあるように構成しておくこともでき、シャワーホース７を下方側へ押し込んで収納させる際には、良好にこのスライド部材１１にガイドされて、開口部（長孔）３からはみ出ることなくスムーズにシャワーホース７は収納されるものとなる。
また、図３のように使用したい場合には、スライド部材１１をバネ１２の付勢力に抗して下方側へ移動させて使用することができるものである。
【００２１】
次に、図１５〜図２０に示すものは更なる別例であり、本例では、シャワーフック２の上面開口２ａに嵌合できるアダプター部材１３を用いるものである。
このアダプター部材１３は、図１９に拡大して示すように、内側に縦方向のセレーション溝１３ｃを有する大径部１３ａの下方に小径部１３ｂが一体形成されており、予めシャワーホース７の外側に上下動可能に小径部１３ｂが遊嵌されている。
【００２２】
図１６，図１８に示すように、通常はシャワーヘッド６の下端の根元６ａの外周にセレーション溝１３ｃを当接させてアダプター部材１３の大径部１３ａが着脱可能に取り付けられており、シャワーホース７を収納する際に、図１７のように、アダプター部材１３をシャワーヘッド６の根元６ａから外して下方側へ移動させ、図１５に示すように、アダプター部材１３の小径部１３ｂをシャワーフック２の上面開口２ａ内に嵌め込んで固定できるものであり、アダプター部材１３をシャワーフック２に嵌合させた状態では、このアダプター部材１３が開口部（長孔）３の前面側を遮ってガイド部材となり、アダプター部材１３にガイドさせてシャワーホース７を下方側へ押し込んでゆくことができ、スムーズにシャワーホース７を収納することができるものとなる。
【００２３】
なお、図２０に示すように、アダプター部材１３をシャワーフック２に嵌め込んだ状態で、開口部（長孔）３から前方側へシャワーホース７を垂らして、シャンプー時等に良好に使用することができるものとなる。
【図面の簡単な説明】
【００２４】
【図１】浴室用横長鏡の正面構成図である。
【図２】シャワーホースを完全に収納させた状態でシャワーヘッドをシャワーフックに掛止させている斜視図である。
【図３】シャワーヘッドをシャワーフックに掛止させ、シャワーホースを開口部（長孔）から前方側へ垂らして使用している使用状態図である。
【図４】シャワーフック側に凸部を設け、シャワーホース側に細管部を設けた構成のシャワーホースを引き出した状態の斜視構成図である。
【図５】図４の正面構成図である。
【図６】細管部を凸部間を通してシャワーフック内に入れた状態図である。
【図７】図６の状態からシャワーホースを下方側へ押し込んで収納する状態の作用説明図である。
【図８】シャワーホースを前方側へ出したまま細管部を凸部間を通してシャワーフック内に入れた状態図である。
【図９】図８の状態から一旦、一直線状にシャワーホースを引き出した後、真直ぐに押し込んで収納する状態の作用説明図である。
【図１０】シャワーフックの前面側に凸部孔を形成させた拡大斜視図である。
【図１１】左右の移動凸部が閉じている状態のシャワーフックの平面概略構成図である。
【図１２】シャワーホースを通過させる際に左右の移動凸部が開いた状態のシャワーフックの平面概略構成図である。
【図１３】開口部（長孔）に上下動可能にスライド部材を設けた場合の拡大斜視図である。
【図１４】更にスライド部材をバネで上方へ付勢した構成の拡大斜視図である。
【図１５】アダプター部材をシャワーフックに嵌合させてシャワーホースを下方側へ押し込む状態の作業説明図である。
【図１６】アダプター部材をシャワーヘッドの根元に取り付けた状態の斜視図である。
【図１７】図１６の状態からアダプター部材を下方側へ移動させている状態の斜視構成図である。
【図１８】シャワーヘッドの根元にアダプター部材が被さった状態の断面拡大構成図である。
【図１９】アダプター部材の斜視構成図である。
【図２０】アダプター部材をシャワーフックに嵌め込んで、シャワーホースを開口部（長孔）から前方側へ出して使用している使用状態図である。
【符号の説明】
【００２５】
１  浴室用横長鏡
２  シャワーフック
２ａ  上面開口
２ｂ  凸部孔
３  開口部（長孔）
３ａ  スライドガイド溝
４  ホースガイド
６  シャワーヘッド
６ａ  根元
７  シャワーホース
７ａ，７ｂ  細管部
８ａ，８ｂ  凸部
９ａ，９ｂ  移動凸部
１０  弾性部材
１１  スライド部材
１１ａ  摘み
１２  バネ
１３  アダプター部材
１３ａ  大径部
１３ｂ  小径部
１３ｃ  セレーション溝
【図１】
0004698324.tif 000002
【図２】
0004698324.tif 000003
【図３】
0004698324.tif 000004
【図４】
0004698324.tif 000005
【図５】
0004698324.tif 000006
【図６】
0004698324.tif 000007
【図７】
0004698324.tif 000008
【図８】
0004698324.tif 000009
【図９】
0004698324.tif 000010
【図１０】
0004698324.tif 000011
【図１１】
0004698324.tif 000012
【図１２】
0004698324.tif 000013
【図１３】
0004698324.tif 000014
【図１４】
0004698324.tif 000015
【図１５】
0004698324.tif 000016
【図１６】
0004698324.tif 000017
【図１７】
0004698324.tif 000018
【図１８】
0004698324.tif 000019
【図１９】
0004698324.tif 000020
【図２０】
0004698324.tif 000021